(57)【要約】【課題】マガジンに収容されている感熱フィルム等の記録媒体のサイズをユーザーが知見することができ、且つ、ユーザーが知見する記録媒体のサイズと食い違うことなく、マガジンに収容されている記録媒体のサイズを画像記録装置に知見させることができ、さらに、複数サイズの記録媒体の大きさに対応して収容することのできるマガジンを提供することにある。【解決手段】記録媒体を収容して、画像記録装置に装填されるマガジンであって、記録媒体を収容する筐体と、筐体に収容可能な記録媒体の種類を表示する記録媒体サイズ表示手段と、筐体に収容されている記録媒体の種類を表示する記録媒体サイズ表示手段を選択して指示する指示手段と、画像記録装置に、筐体に収容されている記録媒体のサイズを知見させる記録媒体知見手段と、を有し、指示手段と記録媒体知見手段とが連動することにより、前記課題を解決する。【選択図】図２
2007091407.tif 000002
【特許請求の範囲】
【請求項１】
記録媒体を収容して、前記記録媒体に画像を記録する画像記録装置に装填されるマガジンであって、
前記記録媒体を収容する筐体と、
前記筐体に収容可能な記録媒体の種類を表示する記録媒体サイズ表示手段と、
前記筐体に収容されている記録媒体の種類を表示する前記記録媒体サイズ表示手段を選択して指示する指示手段と、
前記画像記録装置に、前記筐体に収容されている記録媒体のサイズを知見させる記録媒体知見手段と、
を有し、
前記指示手段と前記記録媒体知見手段とが連動することを特徴とするマガジン。
【請求項２】
前記筐体内において、収容する前記記録媒体の収容位置を規制する記録媒体仕切りガイドを有し、
前記記録媒体仕切りガイドが、前記指示手段および前記記録媒体知見手段を兼ねる請求項１に記載のマガジン。
【請求項３】
前記筐体の一部が組み替え可能であり、この組み替えによって前記筐体のサイズが可変である請求項１または２に記載のマガジン。
【請求項４】
前記筐体が伸縮する請求項１または２に記載のマガジン。
【発明の詳細な説明】
【技術分野】
【０００１】
本発明は、記録媒体を収容して画像記録装置に装填されるマガジンの技術分野に属し、詳しくは、複数サイズの記録媒体に対応することのできるマガジンに関するものである。
【背景技術】
【０００２】
感熱プリンタは、湿式の現像処理が不要であり、かつ、取り扱いが簡単であることから、超音波診断、ＣＴ（Ｃｏｍｐｕｔｅｒｉｚｅｄ  Ｔｏｍｏｇｒａｐｈｙ）診断、ＭＲＩ（Ｍａｇｎｅｔｉｃ  Ｒｅｓｏｎａｎｃｅ  Ｉｍａｇｉｎｇ）診断、Ｘ線診断等の各種の医療用診断装置で撮影した医療用画像を再生する感熱プリンタとして利用されている。
周知のように、従来、医療用画像は銀塩写真フィルムに再生されていた。これに対応して、医療用感熱プリンタでもフィルム状の感熱記録材料（以下、感熱フィルムとする）に画像を記録して、銀塩写真に相当するプリントを出力している。
【０００３】
ところで、医療用診断装置は、装置毎に出力するプリントのサイズ、すなわち、対応する感熱フィルムのサイズが定められている。そのため、医療用画像を再生する感熱プリンタも、接続される装置に応じた１サイズの感熱フィルムのみに対応するのが一般的である。
ところが、近年のＤＩＣＯＭ（Ｄｉｇｉｔａｌ  Ｉｍａｇｅ  ａｎｄ  Ｃｏｍｍｕｎｉｃａｔｉｏｎ  ｉｎ  Ｍｅｄｉｃｉｎｅ「医療用画像データや波形データ等の伝送規格」）の普及や画像ネットワークシステムの進歩により、医療現場でも画像ネットワーク化が進み、１台の感熱プリンタに、異なる複数の装置が接続されることも珍しくなくなっている。そのため、１台の感熱プリンタで複数サイズの感熱フィルムに画像を記録できる、いわゆるマルチサイズ対応の感熱プリンタが普及しつつある。
【０００４】
一般的な医療用の感熱プリンタでは、感熱フィルムはマガジンと呼ばれる専用の容器に収容され、このマガジンを感熱プリンタの所定位置に装填することにより、感熱フィルムが感熱プリンタに供給される。
ここで、感熱プリンタが対応する感熱フィルムのサイズ毎にマガジンを準備していたのでは、コスト的に不利である。従って、マガジンは、１台で複数サイズの感熱フィルムに対応するのが好ましい。
また、安定して目的とする医療用画像の出力を行うためには、オペレータが感熱プリンタに装填されているマガジンに収容されている感熱フィルムのサイズを容易かつ正確に知見することができ、さらに、感熱プリンタが、自身に装填されているマガジンが収容している感熱フィルムのサイズを適正に検出することが重要である。
【発明の開示】
【発明が解決しようとする課題】
【０００５】
ところが、前述のように、従来の医療用感熱プリンタは、１サイズの感熱フィルムにのみ対応するのが通常であるため、マガジンに収容される感熱フィルムも、当然、決まった１サイズである。
そのため、従来の感熱プリンタ用のマガジンでは、収容する感熱フィルムのサイズをオペレータや装置に知見させる必要がなく、従って、簡易に、収容するフィルムのサイズをオペレータに知見させる機能や、同フィルムサイズを感熱プリンタに知見させる機能が無かった。
【０００６】
本発明の目的は、マガジンに収容されている感熱フィルム等の記録媒体のサイズをユーザーが知見することができ、且つ、ユーザーが知見する記録媒体のサイズと食い違うことなく、マガジンに収容されている記録媒体のサイズを画像記録装置に知見させることができ、さらに、複数サイズの記録媒体の大きさに対応して収容することのできるマガジンを提供することにある。
【課題を解決するための手段】
【０００７】
上記目的を達成するために、本発明は、記録媒体を収容して、前記記録媒体に画像を記録する画像記録装置に装填されるマガジンであって、前記記録媒体を収容する筐体と、前記筐体に収容可能な記録媒体の種類を表示する記録媒体サイズ表示手段と、前記筐体に収容されている記録媒体の種類を表示する前記記録媒体サイズ表示手段を選択して指示する指示手段と、前記画像記録装置に、前記筐体に収容されている記録媒体のサイズを知見させる記録媒体知見手段と、を有し、前記指示手段と前記記録媒体知見手段とが連動することを特徴とするマガジンを提供するものである。
【０００８】
本発明においては、前記筐体内において、収容する前記記録媒体の収容位置を規制する記録媒体仕切りガイドを有し、前記記録媒体仕切りガイドが、前記指示手段および前記記録媒体知見手段を兼ねるのが好ましい。
【０００９】
また、本発明においては、前記筐体の一部が組み替え可能であり、この組み替えによって前記筐体のサイズが可変であるのが好ましい。
【００１０】
また、本発明においては、前記筐体が伸縮するのが好ましい。
【発明の効果】
【００１１】
本発明のマガジンは、ユーザーが容易にマガジンに収容されている記録媒体のサイズを知見することができ、且つ、ユーザーが知見している記録媒体のサイズと食い違うことなく、画像記録装置に対して、マガジン内の記録媒体のサイズを知見させることができる。さらに、本発明のマガジンは、現場での簡単な作業によって、一台のマガジンで、複数サイズの記録媒体の大きさに対応することが可能となり、限定されたサイズの記録媒体しか収容することのできない限定サイズマガジンのように、収容する記録媒体のサイズ毎にマガジンを改めて購入する必要がなくなる。
【発明を実施するための最良の形態】
【００１２】
以下、本発明のマガジンについて、添付の図面に示される好適実施例をもとに詳細に説明する。
【００１３】
図１および図２は、本発明のマガジンを感熱フィルムに画像を記録する医療用の感熱プリンタ用のマガジンに適用した一実施例の概略図である。図１は、本発明のマガジンを上方から見た概略斜視図、図２（ａ）は、本発明のマガジンを下面から見た概略斜視図、図２（ｂ）は、図２（ａ）に示すマガジンをＡ‐Ａ’で切断した場合の分解断面図を示している。
【００１４】
図１および図２に示されるマガジン８０は、図９に示される感熱プリンタ（以下、単にプリンタとする）によって画像を記録される感熱フィルム（以下、単にフィルムとする）Ａを収容して、プリンタの所定位置に装填されるもので、フィルムＡを収容し、上面が開放する直方体状の筐体８２と、筐体８２の開放上面を閉塞する蓋体８４と、マガジン８０に収容されているフィルムＡのサイズをユーザーおよびプリンタ１２に知見させるフィルムサイズ知見板９０（以下、単に知見板９０とする）とから構成される。
また、図示例において、本発明のマガジン８０は、半切サイズ、Ｂ４サイズ、４つ切りサイズ、および６つ切りサイズのフィルムＡを収容することができる。
なお、フィルムＡは、非常に湿度依存性が高いため、吸湿することによってフィルムＡの感度が変化しないように、可能な限り気密が保たれ、防湿された状態にあるのが好ましい。
【００１５】
図９に、このマガジン８０を装填するプリンタの断面図を示す。図９に示すように、マガジン８０は、後に詳述するフィルムサイズ知見部９８（以下、単に知見部９８とする）を先にして、プリンタ１２に装填される。プリンタ１２は、装填された本発明のマガジン８０からフィルムＡを取り出して、後に述べるサーマルヘッド６４によってフィルムＡに感熱画像記録を行うものである。また、プリンタ１２は、知見部９８を検知するフィルムサイズ知見センサ（以下、単に知見センサとする）１０４を有する。この知見センサ１０４については、後の詳述する。
なお、以下の説明では、プリンタ１２の内部側（装填方向の前側）に位置するマガジン８０の端部側面を前面、反対側の端部側面を背面とし、また、装填方向と直交する方向を幅方向とする。この点に関しては、これ以降に述べるマガジンについても同様である。
【００１６】
知見センサ１０４は、上述したようにマガジン１２の知見部９８を検出することにより、プリンタ１２に装填されたマガジン８０に収容されるフィルムＡのサイズを知見するものである。
図１に示すように、プリンタ１２は、知見センサ１０４ａ〜１０４ｄの４つの知見センサ１０４を、幅方向に配列して有する。プリンタ１２は、知見センサ１０４ａが知見部９８を検出した際には、マガジン８０に半切サイズのフィルムＡが、知見センサ１０４ｂが知見部９８を検出した際には、マガジン８０にＢ４サイズのフィルムＡが、知見センサ１０４ｃが知見部９８を検出した際には、マガジン８０に４つ切りサイズのフィルムＡが、知見センサ１０４ｄが知見部９８を検出した際には、マガジン８０に６つ切りサイズのフィルムＡが、それぞれ収容されていることを知見（認識）する。
なお、知見センサ１０４には、特に限定はなく、光学的なセンサ、機械式のセンサ、磁気的なセンサ等の公知の手段が、各種利用可能である。
なお、感熱プリンタ１２については、後に詳述する。
【００１７】
前述のように、マガジン８０は、筐体８２と蓋体８４とから構成される。
蓋体８４は、筐体８２の開放上面を閉塞するものであり、幅方向に延在するヒンジ部８６ａによって揺動して、マガジン８０を開閉する開閉部８６を有する。プリンタ１２において、マガジン８０は、通常、内部を閉塞した状態となっており、感熱記録時に、この開閉部８６を開放してフィルムＡを取り出し、再度、閉塞する。
マガジン８０は、前述のように、知見部９８側を先端にしてプリンタ１２に装填される。従って、蓋体８４は、筐体８２の知見部９８側が蓋体９４の開閉部８６側となるように、筐体８２に装着される。
【００１８】
開閉部８６の側面の先端部分には、係合片８８が形成されている。この係合片８８は、マガジン８０をプリンタ１２に装填した際に、その開蓋機構（図示せず）によってマガジン８０の開閉部８６を開閉するのに用いられるものである。そして、係合片８８には開蓋機構の開蓋部材が係合する孔部８８ａが形成される。
【００１９】
なお、筐体８２および蓋体８４は各種の樹脂、アルミニウム等の金属など、公知の各種の材料から形成される。なお、筐体８２、蓋体８４とは別部材で構成してもよく、あるいは樹脂等の一体成型によって構成することにより、開閉部８６を開閉可能に構成したものであってもよい。
【００２０】
また、図２（ｂ）に示すように、筐体８２および蓋体８４は、フィルムＡの収容を容易にするために、互いに取り外し可能な構成とするのが好ましいが、筐体８２と蓋体８４とを上下一体型としてもよい。
このようなマガジン８０内へのフィルムＡの収容は、図２（ｂ）に示すように、蓋体８４を取り外して、フィルムＡの記録層を下方に向けて筐体８２内に収容し、蓋体８４を閉じることにより行う。なお、筐体８２と蓋体８４とが上下一体型の場合は、開閉部８６を開いて、その開放部分からフィルムＡを収容する。
なお、これらの点に関しては、これ以降に述べるマガジンについても同様である。
【００２１】
また、筐体８２は、図２（ａ）に示すように、背面の下面側に切り込み部８２ａを有し、この背面の切り込み部８２ａの上方に、マガジン８０に収容されているフィルムＡのサイズを表示するフィルムサイズ表示板（以下、単に表示板とする）９４ａ〜９４ｄを有する。
【００２２】
表示板９４は、フィルムＡのサイズを表示するものである。
図示例において、表示板９４ａは、半切サイズを表す「Ｈ」を表示し、同様に、表示板９４ｂは、Ｂ４サイズを表す「Ｂ４」を、表示板９４ｃは、４つ切りサイズを表す「４」を、表示板９４ｄは、６つ切りサイズを表す「６」を表示する。なお、ここでは、表示板９４ａ〜９４ｄは、表示するフィルムＡのサイズが大きい順、すなわち、「Ｈ」、「Ｂ４」、「４」、「６」の順に、背面の図２（ａ）中右端から、幅方向に配列して貼着される。
すなわち、この表示板９４の配列は、前述の各知見センサ１０４が対応するフィルムサイズの配列と同方向である。また、図示例においては、一例として、マガジン８０がプリンタ１２の所定位置に適正に装填された際に、各表示板９４は、自身が表示するフィルムサイズが対応するフィルムサイズセンサ１０４と、幅方向に同位置になる。
なお、表示板９４は、材質や形状に特に限定はない。
【００２３】
また、図示例の表示板９４においては、半切サイズは「Ｈ」を、Ｂ４サイズは「Ｂ４」を、４つ切りサイズおよび６つ切りサイズは、「４」および「６」を、各サイズのフィルムＡの種類を表す記号として表示しているが、本発明は、これに限定されず、ユーザーがフィルムＡのサイズを認識することができるものであれば、どのような表示してもよい。さらに、フィルムＡのサイズを表示板９４の表面に表示する方法も、特に限定はなく、記入、刻印等、いずれの方法も可能である。
【００２４】
また、筐体８２の下面には、図２（ａ）に示すように、後に詳述する知見板９０を係合させるために用いられる略楕円形の突起部１０２が設けられている。
図示例において、突起部１０２は、突起部１０２ａ〜１０２ｄの計４個設けられる。
突起部１０２ａおよび１０２ｂ、突起部１０２ｃおよび１０２ｄは、各々、マガジン８０の下面の幅方向に所定の間隔を空けて設けられ、且つ、突起部１０２ｂおよび１０２ｄ、突起部１０２ａおよび１０２ｃは、マガジン８０の下面の装填方向に所定の間隔を空けて設けられる。すなわち、突起部１０２ａ〜１０２ｄは、マガジン８０の下面に長方形状に配置される。
また、突起部１０２は、図２（ｂ）に示すように、知見板９０をマガジン８０の下面に保持することができるように、後に述べるスリット１００ａの装填方向の長さｍより大きなリブ部を有し、知見板９０の落下を防止している。
【００２５】
知見板９０は、本発明の特徴部分であり、マガジン８０に収容されているフィルムＡのサイズをユーザーおよびプリンタ１２に知見させるものである。
知見板９０は、マガジン８０の下面に係合される接合部１００と、接合部１００の背面側の端部の所定の位置に設けられるフィルムサイズ指示部９６（以下、単に指示部９６とする）と、接合部１００の前面側の端部の所定の位置に設けられる知見部９８とで構成される。
【００２６】
接合部１００は、図２（ａ）に示すように、上述の突起部１０２によって、マガジン８０の下面に保持される略矩形の板状部材である。
接合部１００は、装填方向の端部付近に、幅方向に延在する略矩形形状のスリット１００ａおよび１００ｂを有する。
スリット１００ａは、上述の凸部１０２ａおよび１０２ｂと係合するように、スリット１００ｂは、上述の凸部１０２ｃおよび１０２ｄと係合するように設けられる。これにより、接合部１００は、図２（ａ）に実線で示す位置から、二点鎖線で示す位置まで、マガジン８０の幅方向にスライド可能となっている。
【００２７】
指示部９６は、マガジン８０に収容されているフィルムＡのサイズを表示する表示板９４ａ〜９４ｄのいずれかを指示するものである。
図示例において、指示部９６は、上述のように接合部１００の背面側端部に固定される。また、指示部９６は、フィルムサイズ表示手段９４を指示するために、途中で約９０°屈曲している先端（上部）が矢印形状の板状部材である。この指示部９６は、前記接合部１００の幅方向へのスライドにより、矢印部分が表示板９４ａ〜９４ｄの全てを指示できる位置に固定される。
なお、指示部９６の先端の形状は、矢印形状に限定されず、いずれの表示板９４ａ〜９４ｄを指示しているのかが明確に認識できる形状であればよい。
【００２８】
知見部９８は、マガジン８０をプリンタ１２に装填した際に上述の知見センサ１０４に検知されることにより、プリンタ１２に、マガジン８０に収容されているフィルムＡのサイズを知見させるものである。
知見部９８は、図示例において、上述のように、接合部１００の前面側の端部に固定され、マガジンの下面から前面に至るように、途中で約９０°屈曲している先端（上部）がマガジン８０の外側に突出する形状のものである。また、この知見部９８は、前記指示部９６と幅方向に同位置となるように、接合部１００に固定される。
なお、知見部９８には、特に限定は無いが、知見センサ１０４に対応して、知見センサ１０４が検出可能であれば、各種の形状、材料のものが利用可能である。
【００２９】
前述のように、接合部１００は、スリット１００ａおよび１００ｂを突起部１０２に係合することにより、幅方向にスライド可能にマガジン８０（筐体８２）の下面に係合される。また、前述の通り接合部１００の背面側の端部には、指示部９６が設けられ、他方、マガジン８０（筐体８２）の背面側の側面には、幅方向に配列された表示板９４が設けられる。従って、接合部１００を幅方向に移動することで、指示部９６は、フィルムサイズ指示板９４の個々を指示することができる。
さらに、４つの表示板９４および４つの知見センサ１０４は、マガジン８０がプリンタ１２の所定位置に装填された際に、幅方向に同位置となり、かつ、指示部９６と知見部９８とは、幅方向に同位置に固定される。
従って、図示例のマガジン８０は、プリンタ１２の所定位置に装填された際に、指示部９６が半折サイズを示す表示板９４ａを指した状態では、知見センサ１０４ａに対応する位置に知見部９８が位置し、指示部９６がＢ４サイズを示す表示板９４ｂを指した状態では、知見センサ１０４ｂに対応する位置に知見部９８が位置し、指示部９６が四つ切りサイズを示す表示板９４ｃを指した状態では、知見センサ１０４ｃに対応する位置に知見部９８が位置し、さらに、指示部９６が六つ切りサイズを示す表示板９４ｄを指した状態では、知見センサ１０４ｄに対応する位置に知見部９８が位置する。
【００３０】
従って、マガジン８０に収容されているフィルムＡのサイズを表す表示板９４に指示部９６を設置し、このマガジン８０をプリンタ１２に装填することにより、前記表示板９４が表すフィルムサイズ用の知見センサ１０４が、知見部９８を検知し、これによって、プリンタ１２がマガジン１２に収容されているフィルムＡのサイズを知見（検出）することができる。
また、ユーザーは、プリンタ１２の稼動中に、指示部９６がいずれの表示板９４を指示しているかを確認することにより、マガジン８０に収容されているフィルムＡのサイズを、その都度、知見することができる。
【００３１】
図３に、本発明のマガジンの別の実施形態の概略斜視図を示す。図３（ａ）は、本発明のマガジンを下方から見た概略斜視図を示し、図３（ｂ）は、図３（ａ）に示す本発明のマガジンをＢ‐Ｂ’で切断した際の分解断面図を示す。
なお、本発明のマガジン１１０は、マガジン８０と同様に、半切サイズ、Ｂ４サイズ、４つ切りサイズ、および６つ切りサイズのフィルムを収容することができ、筐体８２の底面の構造およびフィルムサイズ知見板１１２（以下、単に知見板１１２とする）を除いて、マガジン８０と基本的に同様の構成を有するので、同じ部材には同じ符号を付し、以下の説明は異なる部位を主に行う。
【００３２】
図３に示されるマガジン１１０も、マガジン８０と同様に、フィルムＡを収容し、プリンタ１２の所定位置に装填されるものであり、フィルムＡを収容する上面が開放する直方体状の筐体１１１と、筐体１１１の開放上面を閉塞する蓋体８４と、マガジン１１０に収容されているフィルムＡのサイズをユーザーおよびプリンタ１２に知見させる知見板１１２とから構成される。
ここで、このマガジン１１０は、マガジン８０で用いる板状の知見板９０ではなく、棒状（四角柱状）の知見板１１２を有し、マガジン１１０の下面に着脱自在にしたものである。
【００３３】
すなわち、知見板１１２は、四角柱状の接合部１１６と、この接合部１１６の背面側の端部に固定される先の例と同様の指示部９６と前面側の端部に固定される先の例と同様の知見部９８とを有する。また、接合部１１６の上面（指示部９６の矢印方向）には、所定の間隔を空けて、凸部１１４（１１４ａおよび１１４ｂ）を有する。
【００３４】
他方、マガジン１１０（筐体１１１）の下面には、表示板９４ａと幅方向の同位置に、前記凸部１１４と同間隔で２つの凹部１１８ａが、表示板９４ｂと幅方向の同位置に、前記凸部１１４と同間隔で２つの凹部１１８ｂが、表示板９４ｃと幅方向の同位置に、前記凸部１１４と同間隔で２つの凹部１１８ｃが、表示板９４ｄと幅方向の同位置に、前記凸部１１４と同間隔で２つの凹部１１８ｄが、それぞれ、形成される。
なお、マガジン１１０は、これ以外の蓋体８４、表示板９４等に関しては、前記マガジン８０と同様である。
この凹部１１８と、前記凸部１１４とは嵌合／離脱可能なものであり、凸部１１４と凹部１１８とを嵌合／離脱することで知見板１１２がマガジン１１０（筐体）に着脱可能となっている。
【００３５】
前述のように、４つの表示板９４および４つの知見センサ１０４は、マガジン８０が所定位置に装填された際に、幅方向に同位置となり、かつ、マガジンの凹部は各フィルムサイズ表示板と幅方向の同位置に形成される。
従って、図示例のマガジン１１０においても、プリンタ１２の所定位置に配置された際に、指示部９６が表示板９４ａを指示する位置に知見板１１２を装着した状態では、知見センサ１０４ａに対応する位置に知見部９８が位置し、指示部９６が表示板９４ｂを指示する位置に知見板１１２を装着した状態では、知見センサ１０４ｂに対応する位置に知見部９８が位置し、指示部９６が表示板９４ｃを指示する位置に知見板１１２を装着した状態では、知見センサ１０４ｃに対応する位置に知見部９８が位置し、指示部９６が表示板９６ｄを指示する位置に知見板１１２を装着した状態では、フィルムサイズ知見センサ１０４ｄに対応する位置にフィルムサイズ知見部９８が位置する。
これにより、プリンタ１２は、先の例と同様に、マガジン１１０に収容されているフィルムＡのサイズを知見することができる。
また、ユーザーは、プリンタ１２の稼動中に、指示部９６がいずれの表示板９４を指示しているかを確認することにより、マガジン８０に収容されているフィルムＡのサイズを、その都度、知見することができる。
【００３６】
なお、以上の実施形態においては、４つのフィルムサイズ表示板９４および４つのフィルムサイズ知見センサ１０４は、マガジン８０および１００が所定位置に装填された際に、幅方向に同位置となるように構成され、表示板９４と知見部９８とは幅方向の同位置に位置しているが、本発明は、これに限定はされず、知見センサ１０４の位置等に応じて、指示部９６が表示板９４を指した際に、知見部９８が表示板９４に対応する知見センサ１０４に対応する位置となるものであれば、知見センサ１０４および表示板９４の位置、間隔、配列や、表示板９４と知見部９８との位置関係は、各種の構成が利用可能である。
【００３７】
ここで、図４に、先の例とは異なる位置に知見センサ１０４を配置したプリンタ１２に装填されるマガジンの一実形態を示す。図４（ａ）は、本発明のマガジンを下方からみた概略斜視図であり、図４（ｂ）および（ｃ）は、後に述べるフィルムサイズ知見手段をフィルムサイズ指示部側から見た様子を表した模式図であり、図４（ｃ）は、フィルムサイズ知見手段をフィルムサイズ知見部側から見た様子を表した模式図である。
なお、本発明のマガジン１２０は、先の例のフィルムサイズ知見板９０および１１２にあたるフィルムサイズ知見手段１２２（以下、単に知見手段１２２とする）、および、フィルムサイズ指示板９４の配置以外は、先の例と同様の構成を有するため、ここでは、異なる部分に重点をおいて説明する。
本発明のマガジン１２０には、半切サイズ、Ｂ４サイズ、および４つ切りサイズのフィルムＡを収容することができるものとする。
【００３８】
本発明のマガジン１２０が装填されるプリンタ１２は、図４（ａ）および（ｃ）に示すように、先の例と同様の知見センサ１０４ａ〜１０４ｃが、約９０°の間隔を空けて円の上半分を描くようにに設置されている。
プリンタ１２は、先の例と同様に、知見センサ１０４ａがフィルムサイズ知見部１３０（以下、単に知見部１３０とする）の矩形部分１３３を検出した際には、マガジン８０に半切サイズのフィルムＡが、知見センサ１０４ｂが知見部１３０の矩形部分１３３を検出した際には、マガジン１２０にＢ４サイズのフィルムＡが、知見センサ１０４ｃが知見部１３０の矩形部分１３３を検出した際には、マガジン１２０に４つ切りサイズのフィルムＡが、それぞれ収容されていることを知見（認識）する。
なお、知見部１３０および矩形部分１３３については、後に詳述する。
【００３９】
他方、先の例のフィルムサイズ知見部９０および１１２にあたる知見手段１２２は、連結部１３２と、連結部１３２の背面側の端部に設けられるフィルムサイズ指示部１２８（以下、単に指示部１２８とする）と、前面側の端部に設けられる知見部１３０とで構成される。
なお、知見手段１２２は、図４（ａ）に示すように、保持部材１２５を用いて、連結部１３２を回転自在にマガジン１２０（筐体１２１）の下面にすることにより、マガジン１２０に保持される。
【００４０】
知見部１３０は、先の例の知見部９８と同様、知見センサ１０４に検知されることにより、マガジン１２０に収容されているフィルムＡのサイズを、プリンタ１２に知見させるものであり、図示例において、連結部１３２の一端を固定される板状部材１３１と矩形の板状部材（以下、矩形部分とする）１３３とで構成される。
指示部１２８は、先の例の指示部９６と同様、マガジン１２０に収容されているフィルムＡのサイズを表す表示板９４を指示するものであり、連結部１３２の板状部材１３１の他端に固定される板状部材１２９と矢印形状の板状部材（以下、矢印部分とする）１２７とで構成される。
図示例においては、連結部１３２は、指示部１２８の矢印部分１２７と知見部１３０の矩形部分１３３の端部とが逆に向くように、両者を固定して連結する。
【００４１】
前述のように、指示部１２８の矢印部分１２７と知見部１３０の矩形部分１３３の端部とが逆に向くようにしていることから、マガジン１２０（筐体１２１）の背面において、表示板９４ａは、知見センサ１０４ａが知見部１３０の矩形部分１３３を検知する状態にあるとき、前記矩形部分１３３の端部と逆向きを指す指示部１２８の矢印部分１２７が指示する位置に、表示板９４ｂは、知見センサ１０４ｂが知見部１３０の矩形部分１３３を検知する状態にあるとき、前記矩形部分１３３の端部と逆向きを指す指示部１２８の矢印部分１２７が指示する位置、表示板９４ｃは、知見センサ１０４ｃが知見部１３０の矩形部分１３３を検知する状態にあるとき、前記矩形部分１３３の端部と逆向きを指す指示部１２８の矢印部分１２７が指示する位置に設けられる。
すなわち、表示板９４は、図４（ｂ）に示すように、知見センサ１０４とは反対に、９０°の間隔を空けて、円の下半分を描くように設置される。
【００４２】
従って、図示例のマガジン１２０は、プリンタ１２の所定位置に装填された際に、指示部１２８の矢印部分１２７が半折サイズを示す表示板９４ａを指示した状態では、知見センサ１０４ａに対応する位置に知見部１３０の矩形部分１３３が位置し、指示部１２８の矢印部分１２７がＢ４サイズを示す表示板９４ｂを指示した状態では、知見センサ１０４ｂに対応する位置に知見部１３０の矩形部分１３３が位置し、指示部１２８の矢印部分１２７が６つ切りサイズを示す表示板９４ｃを指した状態では、知見センサ１０４ｃに対応する位置に知見部１３０の矩形部分１３３が位置する。
【００４３】
これにより、プリンタ１２は、先の例と同様に、マガジン１２０に収容されているフィルムＡのサイズを知見することができる。
また、ユーザーは、プリンタ１２の稼動中に、指示部９６がいずれのフィルムサイズ表示板９４を指示しているかを確認することにより、マガジン１２０に収容されているフィルムＡのサイズを、その都度、知見することができる。
【００４４】
前述のように、感熱フィルムは、非常に湿度依存性が高いため、吸湿することによってフィルムＡの感度が変化しないように、可能な限り気密が保たれ、防湿された状態にあるのが好ましい。そこで、以上、先に示した本発明のマガジン８０、９０、および１２０であれば、マガジン内の密閉性を保持しつつ、プリンタ１２およびユーザーがマガジンに収容されている感熱フィルムのサイズを知見することが可能である。
【００４５】
また、本発明においては、先の例の知見板９０および１１２、または、知見手段１２２にあたる、プリンタ１２およびユーザーにマガジンに収容されているフィルムＡのサイズを知見させる手段と、マガジン内のフィルムＡの位置を規制するフィルムガイドとを兼ねても良い。その一例を図５に示す。
【００４６】
図５に示す例では、ギア１４８と、ギア１４８に対して互いに対向するように配置され、底辺部分がギア１４８と噛合する略Ｌ字形状のＬ字型部材１４６ａおよび１４６ｂとを有する。
【００４７】
Ｌ字型部材１４６ａは、図５に示すように、Ｌ字の上端部に先の例と同様の指示部９６を有し、且つ、下端部にＬ字型部材１４６ａに立設する、板面が装填方向を向く板状のフィルムガイド１４４ａを有する。
他方、Ｌ字型部材１４６ｂは、図５に示すように、上端部に先の例と同様の知見部９８を有し、且つ、下端部にＬ字型部材１４６ｂに立設する、板面が装填方向を向く板状のフィルムガイド１４４ｂを有する。
上記Ｌ字型部材１４６ａおよび１４６ｂは、ギア１４８の支点１４８ａに対して、点対称となるように配置される。
【００４８】
ギア１４８は、マガジン１４０の底面に設けられ、支点１４８ａを中心にｂ方向またはその反対方向に回転する。
また、ギア１４８は、上述したように、ギア１４８に対向するように設けられるＬ字型部材１４６ａおよび１４６ｂの底辺部分と噛合し、支点１４８ａを中心にいずれかの方向に回転することにより、Ｌ字型部材１４６ａおよび１４６ｂを幅方向に移動させることができるものである。
【００４９】
すなわち、マガジン１４０に収容するフィルムＡをフィルムガイド１４４ａおよび１４４ｂによって規制することにより、フィルムサイズ指示部９６およびフィルムサイズ知見部９８も連動して移動する。
従って、知見部９６を検知する知見センサ１０４（先の例と同様のもの）と、知見手段１４４のＬ字型部材１４６ａおよび１４６ｂと、マガジン１４０（筐体１４１）の背面に設けられ、指示部９６が指示する表示板９４（先の例と同様のもの）とを適正に設定することによって、マガジン１４０に収容されるフィルムＡの位置を規制し、且つ、ユーザーおよび知見手段１４４を有するマガジン１４０が装填されたプリンタ１２がマガジン１４０に収容されているフィルムＡのサイズと知見することができる。
【００５０】
また、図６にも、プリンタ１２およびユーザーにマガジンに収容されているフィルムＡのサイズを知見させる手段と、マガジン内のフィルムＡの位置を規制するフィルムガイドとを兼ねる例を示す。
図６（ａ）は、図面上側にフィルムガイドを挿入していない状態のフィルムサイズ知見手段の上面図、図面下側にこのときの側面図を示し、図６（ｂ）は、図面上側にフィルムガイドを挿入した状態のフィルムサイズ知見手段の上面図、図面下側にこのときの側面図を示す。
【００５１】
図６に示す例では、マガジンの下面に、マガジンの前面１５０ａから背面１５０ｂまで貫通する四角柱状の挿入溝１６２を設け、マガジン内のフィルムＡの位置を規制するフィルムガイド１６０は、この挿入溝１６２に挿入される。
従って、挿入溝１６２は、マガジンにおける各サイズのフィルムＡ規制位置に、フィルムガイド１６０挿入することができるように設けられる。先の例のように、マガジンに４サイズのフィルムを収容する場合であれば、各サイズ毎に幅方向に２本離間して、計４本の挿入溝１６２が設けられる。
また、上記フィルムガイドと対になって、マガジン内におけるフィルムＡの位置を規制するフィルムガイドが挿入される溝も適切な場所に設けられているものとする。
【００５２】
図６の例では、溝１６２には、先の例と同様にマガジンの前面に貼着される表示板９４を指示するフィルムサイズ指示部１５４（以下、単に指示部１５４とする）と、先の例と同様の知見センサ１０４に検知されるフィルムサイズ知見部１５６（以下、単に知見部１５６とする）とで構成される。また、各サイズのフィルムに対応する表示板９４は、自身が示すサイズのフィルムＡに対応する挿入溝１６２の下部に貼着されている。
【００５３】
指示部１５４は、図６（ｂ）に示すように、フィルムガイド１６０を挿入した際に、挿入溝１６２の端部（マガジンの背面１５０ｂの挿入溝１６２による開口）に端面を表すことにより、対応する表示板９４を指示するものである。
図示例において、指示部１５４は、挿入されるフィルムガイド１６０に押圧される当接部材１６４と、表示板９４を指示する指示部材１６６と、当接部材１６４と指示部材１６６とを連結するバネ１６８とが設けられる。
【００５４】
当接部材１６４は、挿入されるフィルムガイド１６０に押圧され、さらに、この押圧された力でバネ１６８を押圧するものであり、挿入溝１６２に挿入することのできる四角柱状の部材である。
バネ１６８は、上述のように当接部材１６４と指示部材１６６とを連結するものであり、充分な強度を有するものであれば、特に限定はなく、公知のものを用いることが可能である。
指示部材１６６は、挿入溝１６２に挿入することのできる四角柱状の部材であり、バネ１６８により押圧されることにより、マガジンの背面１５０ｂに端部を現し、表示板９４を指示し、これにより、ユーザーにマガジンに収容されているフィルムＡのサイズを知見させるものである。そのため、指示部材１６６は、ユーザーが、マガジン１５０の外側に飛び出していることを視覚的に認識しやすいように、マガジンの外側とは異なる配色であるのが好ましい。
【００５５】
知見部１５６は、図６（ｂ）に示すように、フィルムガイド１６０を挿入した際に、マガジンの前面１５０ａからその一部が突出することにより、知見センサ１０４によって検知され、プリンタ１２にマガジンに収容されているフィルムＡのサイズを知見させるものであり、当接部材１７０と、知見部材１７２と、バネ１７４とで構成される。
【００５６】
当接部材１７０は、挿入されるフィルムガイド１６０に押圧され、この力で、バネ１７４を押圧するものであり、挿入溝１６２に挿入することのできる四角柱状の部材である。
バネ１７４は、上述のように当接部材１７０と知見部材１７２とを連結するものであり、充分な強度を有するものであれば、公知のバネを用いればよい。
知見部材１７２は、挿入溝１６２にフィルムガイド１６０が挿入された際に、バネ１７４に押圧されることにより、マガジン１５０の外側に押し出され、これにより、フィルムサイズ知見センサ１０４に検知され、プリンタ１２にマガジン１５０に収容されているフィルムＡのサイズを知見させるものである。
【００５７】
フィルムガイド１６０は、上記挿入溝１６２に挿入され、マガジンに収容されるフィルムの収容位置を規制するものであり、挿入溝１６２に隙間無く挿入することのできる矩形の板状部材である。
【００５８】
上記構成を有する知見手段１５２は、図６（ｂ）に示すように、挿入溝１６２にフィルムガイド１６０を挿入されること、すなわち、マガジンにおけるフィルムＡの収容位置を規制することによって、指示部１５４の指示部材１６６および知見部１５６の知見部材１７２がマガジンの外側に飛び出す。
従って、知見センサ１０４と、本発明に係る知見手段１５２を挿入する挿入溝１６２と、表示板９４とを適正に設定することによって、マガジンにおけるフィルムＡの収容位置を規制し、且つ、ユーザーおよび知見手段１５２を有するマガジンが装填されたプリンタ１２がこのマガジンに収容されているフィルムＡのサイズと知見することができる。
【００５９】
なお、本発明のマガジン１１０、１２０、１４０、およびフィルムサイズ知見手段１５２を有するマガジンにおいて、筐体１１１、１２１、１４１、および蓋体８４は、マガジン８０と同様に、各種の樹脂、アルミニウム等の金属など、公知の各種の材料から形成される。なお、筐体１１１、１２１、１４１は、蓋体８４とは別部材で構成してもよく、あるいは樹脂等の一体成型によって構成することにより、開閉手段８６を開閉可能に構成したものであってもよい。
【００６０】
また、フィルムＡの収容を容易にするために、互いに取り外し可能な筐体１１１、１２１、１４１と蓋体８４とから構成するのが好ましいが、筐体１１１、１２１、１４１と蓋体８４とを上下一体型としてもよい。
このようなマガジン１２０内へのフィルムＡの収容は、蓋体８４を取り外して、フィルムＡの記録層を下方に向けて筐体１１１、１２１、１４１内に収容し、蓋体８４を閉じることにより行う。なお、筐体１１１、１２１、１４１と蓋体８４とが上下一体型の場合は、開閉部８６を開いて、その開放部分からフィルムＡを収容する。
【００６１】
本発明のマガジンは、マガジンのサイズを可変にしてもよく、その一例を図７に示す。図７に示される本発明のマガジン１８０は、先の例と同様に、フィルムＡを収容して、プリンタ１２の所定位置に装填されるもので、フィルムＡを収容し、背面と上面が開放する筐体１８２と、筐体１８２の開放上面を閉塞する蓋体８４と、マガジン１８０のサイズを変更することを可能にする取付部材１８４と、取付部材１８４を筐体１８２に接合するネジ１８６とから構成される。
なお、マガジン１８０は、先に示したマガジン８０と部分的に同様の構成を有するので、同一部材には、同一の番号を付し、以下の説明は、異なる部分に重点を置き行う。また、点線で示すように、先の例と同様のフィルムサイズ知見部９０を有する。
【００６２】
筐体１８２は、上述のように、フィルムＡを収容し、上面と背面が開放されているものであり、また、取付部材１８４を接合する際に用いられるネジ穴１８８が、下面の所定の位置に２箇所ずつ、所定の間隔を空けて設けられている。
また、筐体１８２は、その背面が開放している。
【００６３】
蓋体８４は、基本的に、取付部材１８４を接合する際に用いられるネジ穴１８８が、筐体１８２と同様に設けられている以外は、本発明のマガジン８０と同様のものを用いればよい。
【００６４】
取付部材１８４は、マガジン１８０のサイズを変更することを可能にするものである。
取付部材１８４は、図７（ｂ）に示すように、本発明のマガジン１８０のサイズを拡張した際に、本発明のマガジン１８０の拡張部分となる拡張部１９０と、係止部１９２とで構成される。この係止部１９２によって、筐体１８２の背面の開放部分が閉塞される。
【００６５】
拡張部材１９０は、図７（ａ）に示すように、マガジン１８０を最小サイズにした際には、筐体１８２の内側に隙間無く挿入することができ、且つ、図７（ｂ）に示すように、マガジン１８０のサイズを拡張した際には、一部がマガジン１８０の拡張部分となるものであり、筐体１８２および蓋体８４に接合される際に用いるネジ孔１９４ａ〜１９４ｈを有し、係止部材１９２上に設けられる中空の四角柱状物である。
ネジ孔１９４は、図７（ａ）に示すように本発明のマガジン１８０を最小サイズにする際に用いるネジ孔１９４ａ〜１９４ｄと、図６（ｂ）に示すように本発明のマガジン１８０のサイズを拡張する際に用いるネジ孔１９４ｅ〜１９４ｈとに分けられる。
ネジ孔１９４ａおよび１９４ｂは、図６（ａ）に示すように、蓋体８４に設けられているネジ孔１８８ａおよび１８８ｂと重なり合い、ネジ１８６ａおよび１８６ｂが、蓋体８４と取付部材１８４とを挿通することができるように蓋体８４に設けられる。同様に、ネジ孔１９４ｃおよび１９４ｄも、ネジ孔１８８ｃおよび１８８ｄと重なり合い、ネジ１８６ｃおよび１８６ｄが、筐体１８２と取付部材１８４とを挿通することができるように筐体１８２に設けられる。
さらに、ネジ孔１９４ｅおよび１９４ｆも、ネジ孔１８８ａおよび１８８ｂと重なりあって、ネジ１８６ａおよび１８６ｂを挿通できるように、蓋体８４に設けられ、１９４ｇおよび１９４ｈも、ネジ孔１８８ｃおよび１８８ｄと重なりあって、ネジ１８６ｃおよび１８６ｄが挿通できるように、筐体１８２に設けられる。
なお、ネジ孔１９４は、図示例においては、８個しか設けていないが、本発明においては、これに限定されず、構成したいマガジンの大きさに応じて、適宜設けてもよい。
【００６６】
上記構成を有する本発明のマガジン１８０は、図７（ａ）に示すように、蓋体８４のネジ孔１８６ａおよび１８６ｂと、取付部材１８４のネジ孔１９４ａおよび１９４ｂとを重ね合わせて、ネジ１８６ａおよび１８６ｂを相通し、同様に、筐体１８２のネジ孔１８６ｃおよび１８６ｄと、取付部材１８４のネジ孔１９４ｃおよび１９４ｄとを重ね合わせて、ネジ１８６ｃおよび１８６ｄを相通して構成されることにより、最小サイズのマガジンを構成することを可能にする。
他方、本発明のマガジン１８０は、図７（ｂ）に示すように、蓋体８４のネジ孔１８６ｅおよび１８６ｆと、取付部材１８４のネジ孔１９４ａおよび１９４ｂとを重ね合わせて、ネジ１８６ａおよび１８６ｂを相通し、同様に、筐体１８２のネジ孔１８６ｃおよび１８６ｄと、取付部材１８４のネジ孔１９４ｇおよび１９４ｈとを重ね合わせて、ネジ１８６ｃおよび１８６ｄを相通して構成されることにより、マガジン１８０のサイズを長手方向に拡張することを可能にする。
【００６７】
このため、本発明のマガジン１８０は、上記の通り取付部材１８４を設けることにより、１つのマガジンで何パターンものマガジンのサイズを構成することができるため、マガジンのサイズを変更するために、新たに別部品を購入する必要やフィルムのサイズ毎にマガジンを購入する必要がなくなる。
さらに、本発明のマガジン１８０は、取り扱いが容易にできるため、現場で簡単にマガジンのサイズを変更することができる。
【００６８】
また、図８にも、マガジンのサイズを可変にすることのできる例を示す。
図８は、本発明のマガジンの別の実施形態の概略斜視図を示す。
なお、図８（ａ）は、本発明のマガジンを最小サイズにした際の分解断面図、図８（ｂ）は、本発明のマガジンを拡張した際の分解断面図である。
【００６９】
図７に示す例では、取付部材１８４を装填方向にスライドして、取付部材１８４と筐体１８２ｂおよび蓋体１８２ａとを、ネジ１８６で固定することで、マガジンを最大サイズおよび最小サイズにしているが、本発明は、これに限定はされず、互いに当接するリブ等を用いることにより、マガジンを最大サイズおよび最小サイズとしてもよい。
図８に、その一例を示す。
【００７０】
図８に、示すマガジン２００も、先のマガジン１８０と同様に、蓋体２０２ａと、筐体２０２ｂと、取付部材２０４とから構成される。また、同様に、筐体２０２ｂおよび蓋体２０２ａは背面側が開放すると共に、取付部材２０４は、筐体２０２ｂ内に挿入される略四角筒状の拡張部２１２と、拡張部２１２の一端を閉塞すると共に、筐体２０２ｂの開放背面を閉塞する係止部２１０とから構成される。
図８に示すマガジン２００においては、蓋体２０２ａおよび筐体２０２ｂの背面側端部に、内側に突出するリブ部２０８を有し、また、取付部材２０４の拡張部２１２の開放端に、外方に突出するリブ２１４（２１４ａ〜２１４ｄ）を有する。
【００７１】
マガジン２００を最小サイズとする際には、図８（ａ）に示すように、取付部材２０４を係止部２１０が筐体２０２ｂおよび蓋体２０２ａに当接するまで、筐体２０２ａ内に押し込む。
他方、マガジン２００を最大サイズとする際には、図８（ｂ）に示すように、取付部材２０４のリブ２１４ｂおよび２１４ｄと、蓋体２０２ａおよび筐体２０２ｂのリブ２０８とが当接するまで、取付部材２０４を筐体２０２ｂ内から引き出す。
なお、マガジン２００においては、取付部材２０４を適正に固定できれば、マガジン２００を、両者の中間サイズとしてもよい。
【００７２】
このマガジン２００においては、好ましい態様として、蓋体２０２ａの内面（マガジンの天井面）近傍および筐体２０２ｂの下面近傍に、装填方向に延在するガイド２０６を設け、かつ、取付部材２０４のリブ２１４を装填方向に二重に設け、前記ガイド２０６をリブ２１４に挿通している。
これにより、筐体２０２ｂへの取付部材２０４の収容／引き出しを円滑かつ適正なものにすることができる。
【００７３】
また、マガジン２００を最大サイズにした際に、取付部材２０４の蓋体２０２ａの外部となる領域（例えば、図８（ｂ）中に矢印ｚで示す領域）に、開閉可能な扉部を設け、マガジン２００を最大サイズとした際に、この扉部からフィルムＡを収容できるようにするのも、好ましい。
【００７４】
本発明のマガジン２００は、取付部材２０４を設けることにより、１つのマガジンで何パターンものマガジンのサイズを構成することができる。そのため、マガジンのサイズを変更するために、新たに別部品を購入する必要やフィルムのサイズ毎にマガジンを購入する必要がなくなる。
さらに、本発明のマガジン２００は、取り扱いが容易にできるため、現場で簡単にマガジンのサイズを変更することができる。
【００７５】
なお、本発明のマガジン１８０または２００に、図７および図８に示す知見板９０だけではなく、先に示した知見板１１２、知見手段１２２または図５および図６に示した例を設けてもよい。
例えば、本発明のマガジン８０が有する知見部９０の接合部１００を二重構造にする等して装填方向の長さを可変にすることができるように構成し、図７および図８に点線で示すように、本発明のマガジン１８０または２００にフィルムサイズ知見部９０を装着すればよい。
これにより、マガジンのサイズを変更することができ、且つ、マガジンに収容されているフィルムのサイズをユーザーおよびプリンタが知見することができるマガジンを実現することができる。
【００７６】
図９に、本発明のマガジン８０を適用する感熱プリンタの概略断面図を示し、本発明のマガジン８０の作用について説明する。なお、適用するマガジンは、先に示した全てのマガジン、または、本発明のマガジン１８０または２００に、知見板９０、１１２、知見手段１２２、および図５および図６に示した例のいずれかを設けたマガジンのいずれでも良いのは勿論のことであるが、本実施例においては、マガジン８０を適用する感熱プリンタを代表例として、説明する。
【００７７】
図９に示されるプリンタ１２は、いわゆるカットシートのフィルムＡを用いて、サーマルヘッド６４によってフィルムＡに感熱画像記録を行うものであり、装填部１４、供給搬送部１６、記録搬送部１８、記録部２０および排出部２２を有して構成される。
【００７８】
本例においては、一例としてＢ４サイズのフィルムがマガジン８０に収容されているとする。そこで、ユーザーは、マガジン８０の知見板９２をＢ４サイズを表す表示板９４ｂを指示する位置に合わせる。これにより、ユーザーは、装置の稼動中でも、常にマガジン８０に収容されているフィルムＡのサイズがＢ４サイズであることを知見することができる。
次いで、マガジン８０はプリンタ１２の装填部１４に装填される。装填部１４は、プリンタ１２のハウジング２８に形成された挿入口３０、案内板３２、案内ロール３４、３４および停止部材３６を有しており、マガジン８０は、蓋体８４側を先にして挿入口３０からプリンタ１２内に挿入され、案内板３２および案内ロール３４に案内されつつ、停止部材３６に当接する位置まで押し込まれることにより、プリンタ１２の所定の位置に装填される。このとき、知見手段９８は、知見センサ１０４ｂに検知される。これによって、プリンタ１２は、マガジン８０に収容されているフィルムのサイズを知見する。
【００７９】
供給搬送部１６は、吸盤４０を用いる枚葉機構、搬送手段４２および搬送ガイド４４を有するものであり、マガジン８０からフィルムＡを取り出して、搬送方向下流の記録搬送部１８に搬送する。搬送手段４２は、搬送ローラ４６とローラ４６と同軸のプーリ４７ａおよび回転駆動源と接続されるプーリ４７ｂおよびテンションプーリ４７ｃと、この３つのプーリ４７ａ、４７ｂ、４７ｃに張架されるエンドレスベルト４８と、搬送ローラ４６に押圧されるニップローラ５０とを有して構成され、吸盤４０によって枚葉されたフィルムＡの先端を搬送ローラ４６とニップローラ５０とによって挟持して、フィルムＡを下流に搬送する。
【００８０】
プリンタ１２においては、記録開始の指示が出されると、図示しない開閉機構が蓋体８４の係合片８６の孔部８６ａに係合して蓋体８４を押し上げることによって蓋体８４が開放され、吸盤４０を用いた枚葉機構がフィルムＡの先端を搬送手段４２（ローラ４６とニップローラ５０）に供給する。供給されたフィルムＡは、搬送ガイド４４によって案内されつつ搬送手段４２によって記録搬送部１８に搬送される。なお、搬送ローラ４６とニップローラ５０とによってフィルムＡが挟持された時点で、吸盤４０による吸引は開放され、また、記録に供されるフィルムＡがマガジン８０から完全に排出された時点で、前記開閉機構によって蓋体８４が閉塞される。
【００８１】
記録搬送部１８は、規制ローラ対５２、搬送ローラ対５６およびガイド５８を有するものであり、フィルムＡは、先ず、その先端が規制ローラ対５２に至る。従って、搬送ガイド４４によって規定される搬送手段４２から規制ローラ対５２までの距離は、フィルムＡの搬送方向の長さより若干短く設定される。規制ローラ対５２は最初は停止しており、フィルムＡの先端が規制ローラ対５２に至ると、サーマルヘッド６４の温度が確認され、サーマルヘッド６４の温度が所定温度であれば、規制ローラ対５２によるフィルムＡの搬送が開始され、ガイド５８に案内にされつつ記録部２０に搬送される。
【００８２】
記録部２０は、サーマルヘッド６４、プラテンローラ６０、ガイド６２および冷却ファン６５を有する。サーマルヘッド６４およびヒートシンク６６は、支点６８ａを中心に矢印ａ方向および逆方向に回動自在な支持部材６８に支持されている。フィルムＡが搬送される前は、支持部材６８は上方（矢印ｂ方向と逆方向）に回動しており、サーマルヘッド６４とプラテンローラ６０とは接触していない。記録搬送部１８によってフィルムＡの先端が記録開始位置（サーマルヘッド６４のグレーズに対応する位置）に搬送されると、支持部材６８が矢印ａ方向に回動して、フィルムＡがサーマルヘッド６４とプラテンローラ６０とによって挟持された状態となり、フィルムＡは、プラテンローラ６０によって所定位置に保持されて下流に搬送されつつ、サーマルヘッド６４によって感熱画像記録される。
【００８３】
感熱画像記録が終了したフィルムＡは、プラテンローラ６０に搬送されて排出部２２のトレイ７２に排出される。トレイ７２は、ハウジング２８に形成された排出口７４を経てプリンタ１２の外部に突出しており、画像が記録されたフィルムＡは、この排出口７４を経て外部に排出され、取り出される。
【００８４】
以上の説明では、本発明のマガジンを感熱プリンタ用マガジンに適用した例であったが、本発明のマガジンは、これ以外にも様々なサイズを有するシート状物であれば、好適に適用可能である。
【００８５】
以上、本発明に係るマガジンについて詳細に説明したが、本発明はこれに限定されるものではなく、本発明の要旨を逸脱しない範囲において、各種の改良および変更を行ってもよいのはもちろんのことである。
【図面の簡単な説明】
【００８６】
【図１】本発明のマガジンを上方から見た概略斜視図を示す。
【図２】（ａ）は、本発明のマガジンを下方から見た概略斜視図を示し、（ｂ）は、（ａ）に示すマガジンをＡ−Ａ’で切断した場合の分解断面図を示す。
【図３】（ａ）は、本発明のマガジンの別の実施形態を下方側から見た概略斜視図を示し、（ｂ）は、（ａ）に示すマガジンをＢ−Ｂ’で切断した際の本発明のマガジンの分解断面図を示す。
【図４】（ａ）は、本発明のマガジンの別の実施形態を下面側から見た図を示し、（ｂ）は、フィルムサイズ知見部の作用を説明するための模式図を示し、（ｃ）は、フィルムサイズ知見部の作用を説明するための模式図を示す。
【図５】本発明に係るフィルムサイズ知見手段の概略斜視図を示す。
【図６】（ａ）は、本発明に係るフィルムサイズ知見手段にフィルムガイドを挿入していない場合の状態図を示し、（ｂ）は、（ａ）にフィルムガイドを挿入した際の状態図を示す。
【図７】（ａ）は、本発明のマガジンを最小サイズにした際の分解断面図を示し、（ｂ）は、本発明のマガジンを最大サイズにした際の分解断面図を示す。
【図８】（ａ）は、本発明のマガジンを最小サイズにした際の分解断面図を示し、（ｂ）は、本発明のマガジンを最大サイズにした際の分解断面図を示す。
【図９】本発明のマガジンを適用する感熱プリンタの概略図を示す。
【符号の説明】
【００８７】
１２  感熱プリンタ
１４  装填部
１６  供給搬送部
１８  記録搬送部
２０  記録部
２２  排出部
２８  ハウジング
３０  挿入口
３２  案内板
３４  案内ロール
３６  停止部材
４０  吸盤
４６  搬送ローラ
４７  プーリ
４８  エンドレスベルト
５０  ニップローラ
５２  規制ローラ対
５６  搬送ローラ
５８，６２  ガイド
６０  プラテンローラ
６４  サーマルヘッド
６６  ヒートシンク
６８  支持部材
６８ａ  支点
７２  トレイ
７４  排出口
８０，１１０，１２０，１４０，１８０，２００  マガジン
８２，１１１，１２１，１４１，１８２ｂ，２０２ｂ  筐体
８４，１８２ａ，２０２ａ  蓋体
８２ａ  切り込み部
８６  開閉部
８６ａ  ヒンジ部
８８  係合片
９０，１１２  フィルムサイズ知見板
９４  フィルムサイズ表示板
９６，１２８，１５４  フィルムサイズ指示部
９８，１３０，１５６  フィルムサイズ知見部
１００，１１６  接合部
１１０ａ，１００ｂ  スリット
１３２  連結部
１０２  突起部
１０４  フィルムサイズ知見センサ
１１４  凸部
１１８  凹部
１２２  フィルムサイズ知見手段
１２５  固定手段
１３１  円形の板状部材
１３３  矢印形状の板状部材
１４４，１６０  フィルムガイド
１４６  Ｌ字型部材
１４８  ギア
１５８  フィルムガイド挿入溝
１６２  挿入溝
１６４，１７０  当接部材
１６６  指示部材
１６８，１７４  バネ
１７２  知見部材
１８４  取付部材
１８６  ネジ
１９０，２１２  拡張部
１９２，２１０  係止部
１８８，１９４  ネジ孔
２０４  取付部材
２０６  レール
２０８  リブ部
２１４  リブ
【図１】
2007091407.tif 000003
【図２】
2007091407.tif 000004
【図３】
2007091407.tif 000005
【図４】
2007091407.tif 000006
【図５】
2007091407.tif 000007
【図６】
2007091407.tif 000008
【図７】
2007091407.tif 000009
【図８】
2007091407.tif 000010
【図９】
2007091407.tif 000011